(57)【要約】      （修正有）【課題】環境温度が変化しても、光軸がずれることがない光ピックアップを提供する。【解決手段】本発明の光ピックアップは、光軸を有するレンズ部材２４１を有する光学ユニット２４と、光学ユニット２４を両側から保持する光ピックアップ筐体２９と、を有し、レンズ部材２４１の光軸が光学ユニット２４の中心より一方側に偏って配置されている。光学ユニット２４が熱膨張したとき、レンズ部材２４１の光軸が変位しないように、光学ユニット２４の熱膨張量は、第１及び第２の接着剤３ａ，３ｂの圧縮量によって吸収される。【選択図】図１
2008041149.tif 000002
【特許請求の範囲】
【請求項１】
光軸を有するレンズ部材を有する光学ユニットと、該光学ユニットを両側から保持する光ピックアップ筐体と、を有し、上記レンズ部材の光軸が上記光学ユニットの中心より一方側に偏って配置されている光ピックアップにおいて、
上記光学ユニットの第１の端は第１の接着剤によって上記光ピックアップ筐体に接着され、上記光学ユニットの第２の端は第２の接着剤によって上記光ピックアップ筐体に接着され、
上記光学ユニットは、上記レンズ部材の光軸から上記光学ユニットの第１の端までの第１の部分と、上記レンズ部材の光軸から上記光学ユニットの第２の端までの第２の部分とを有し、
上記光学ユニットが熱膨張したとき、上記レンズ部材の光軸が変位しないように、上記光学ユニットの熱膨張量は、上記第１の接着剤の圧縮量と上記第２の接着剤の圧縮量によって吸収されることを特徴とする光ピックアップ。
【請求項２】
請求項１記載の光ピックアップにおいて、
上記第１の部分の熱膨張量が上記第１の接着剤の圧縮量に等しく、且つ、上記第２の部分の熱膨張量が上記第２の接着剤の圧縮量に等しいことを特徴とする光ピックアップ。
【請求項３】
請求項１記載の光ピックアップにおいて、上記第１の部分の熱膨張量が上記第２の部分の熱膨張量より小さいとき、上記第１の接着剤の圧縮量は上記第２の接着剤の圧縮量より小さく、上記第１の部分の熱膨張量が上記第２の部分の熱膨張量より大きいとき、上記第１の接着剤の圧縮量は上記第２の接着剤の圧縮量より大きいことを特徴とする光ピックアップ。
【請求項４】
請求項３記載の光ピックアップにおいて、上記第１の接着剤と上記第２の接着剤は同一の接着剤であり、上記第１の接着剤と上記第２の接着剤は同一の厚さを有し、上記第１の部分の熱膨張量が上記第２の部分の熱膨張量より小さいとき、上記第１の接着剤の接着面積は上記第２の接着剤の接着面積より大きく、上記第１の部分の熱膨張量が上記第２の部分の熱膨張量より大きいとき、上記第１の接着剤の接着面積は上記第２の接着剤の接着面積より小さいことを特徴とする光ピックアップ。
【請求項５】
請求項３記載の光ピックアップにおいて、上記第１の接着剤と上記第２の接着剤は同一の接着剤であり、上記第１の接着剤と上記第２の接着剤は同一の接着面積を有し、上記第１の部分の熱膨張量が上記第２の部分の熱膨張量より小さいとき、上記第１の接着剤の厚さは上記第２の接着剤の厚さより小さく、上記第１の部分の熱膨張量が上記第２の部分の熱膨張量より大きいとき、上記第１の接着剤の厚さは上記第２の接着剤の厚さより大きいことを特徴とする光ピックアップ。
【請求項６】
請求項３記載の光ピックアップにおいて、上記第１の接着剤と上記第２の接着剤は同一の接着面積及び同一の厚さを有し、
上記第１の部分の熱膨張量が上記第２の部分の熱膨張量より小さいとき、上記第１の接着剤のヤング率は上記第２の接着剤はヤング率より大きく、上記第１の部分の熱膨張量が上記第２の部分の熱膨張量より大きいとき、上記第１の接着剤のヤング率は上記第２の接着剤はヤング率より小さいことを特徴とする光ピックアップ。
【請求項７】
請求項３記載の光ピックアップにおいて、上記第１の部分の熱膨張量が上記第２の部分の熱膨張量より小さいとき、上記光学ユニットの第２の端には凹部が設けられ、上記第１の部分の熱膨張量が上記第２の部分の熱膨張量より大きいとき、上記光学ユニットの第１の端には凹部が設けられていることを特徴とする光ピックアップ。
【請求項８】
請求項３記載の光ピックアップにおいて、上記第１の部分の熱膨張量が上記第２の部分の熱膨張量より小さいとき、上記光学ユニットの第２の端に対応した上記光ピックアップ筐体の装着面に凹部が設けられ、上記第１の部分の熱膨張量が上記第２の部分の熱膨張量より大きいとき、上記光学ユニットの第１の端に対応した上記光ピックアップ筐体の装着面に凹部が設けられていることを特徴とする光ピックアップ。
【請求項９】
請求項１記載の光ピックアップにおいて上記光学ユニットは、第１及び第２のレンズ部材と、該第１のレンズ部材を保持する第１の保持部材と、上記第２のレンズ部材を保持する第２の保持部材と、該第２の保持部材を移動させる駆動手段と、上記第２の保持部材の孔を貫通するガイドシャフトと、上記駆動手段の駆動力を上記第２の保持部材の移動力に伝達する伝動手段と、を有することを特徴とする光ピックアップ。
【発明の詳細な説明】
【技術分野】
【０００１】
本発明は、光ディスクの記録面にて情報を再生又は記録する光ディスク装置に用いられる光ピックアップに関する。
【背景技術】
【０００２】
光ピックアップは、光ディスクの記録面にレーザ光を集光し、光ディスクの記録面からのレーザ光を検出するための装置であり、レーザ光源、ミラー、レンズ、光検出器などの光学素子の組み合わせによって構成されている。レーザ光の収差に影響を及ぼす光学素子の光軸の位置及び傾きの精度は、記録又は再生動作においてきわめて重要である。
【０００３】
光ピックアップでは、光学素子の位置及び傾きの精度を正確に維持するために、剛性の高い光ピックアップ筐体を用いる。光学素子は、直接又は保持部材に保持されて、接着剤によって光ピックアップ筐体に固定される。接着剤による固定は、ネジ固定のようにネジ締結部を作るスペースを設ける必要がなく、光学素子のような小さな部品の固定に適している。
【０００４】
しかしながら、接着剤は、時間の経過及び環境温度の変化により、硬化、収縮、膨潤等を起こす。そのため、光学素子の位置及び傾きがずれを起こすことがある。
【０００５】
特許文献１には、接着剤に起因した問題を回避するため、光学素子を左右対称の位置で接着を行なう方法が開示されている。このように、光学素子を左右対称の位置で接着を行なうことによって、接着剤の膨張又は収縮が生じても光学素子の光軸の位置ずれを少なくすることができる。
【０００６】
光ピックアップには、光ディスクの保護層の厚みムラや、多層記録ディスクの層間移動で生じる大きな球面収差を補正するために、収差補正素子が搭載される場合がある。
【０００７】
特許文献２には、収差補正素子の例が記載されている。この収差補正素子は、レンズを移動させるためにレンズ移動機構を有する。レンズ移動機構は、駆動モータ、ガイドシャフト、レンズを保持するレンズ保持部材などを備えている。そのため、収差補正素子は、重量、サイズともに他の光学素子に比べて格段に大きい。このような収差補正素子も、他の光学素子と同様に光ピックアップ筐体に高精度に搭載する必要がある。
【０００８】
【特許文献１】特開２００２−１９７７１８号
【特許文献２】特開２００３−９１８４７号
【発明の開示】
【発明が解決しようとする課題】
【０００９】
収差補正素子のように、レンズの周囲に駆動モータ、ガイドシャフト、レンズを保持する保持部材等を有する光学部品では、レンズを光学部品の中心位置に配置することは困難である。そこで、通常、レンズは、光学部品の中心位置からオフセットした位置に取り付けられている。
【００１０】
このような構造の場合、環境温度の変化によって、レンズの位置及び傾きのずれが起き易い。レンズの位置又は傾きのずれにより、光軸がずれると光ディスクの記録層上に集光するレーザ光のスポットに収差を発生させる。そのため、高密度に記録することが困難となる不具合を生じる。
【００１１】
本発明の目的は、環境温度が変化しても、光学素子の光軸がずれることがない光ピックアップを提供することにある。
【課題を解決するための手段】
【００１２】
本発明の光ピックアップは、光軸を有するレンズ部材を有する光学ユニットと、該光学ユニットを両側から保持する光ピックアップ筐体と、を有し、レンズ部材の光軸が光学ユニットの中心より一方側に偏って配置されている。
【００１３】
光学ユニットが熱膨張したとき、レンズ部材の光軸が変位しないように、光学ユニットの熱膨張量は、第１及び第２の接着剤の圧縮量によって吸収される。
【発明の効果】
【００１４】
本発明の光ピックアップによると、環境温度が変化しても、光学素子のレンズの光軸がずれることがない。
【発明を実施するための最良の形態】
【００１５】
図１を参照して本発明による光ピックアップの第１の例を説明する。ここでは、光ピックアップの主要部である光学ユニット２４とそれを保持する光ピックアップ筐体２９について説明する。光学ユニット２４は、レンズ部材２４１とそれを保持する保持部材２４２を有する。レンズ部材２４１は、ガラスまたは透明プラスチック材料によって作られているレンズ、ミラー、液晶素子等の光軸を有する素子である。保持部材２４２は、レンズ部材２４１と同じ材料で一体に作るか、レンズ部材２４１とは別の部品として作成したものである。光ピックアップ筐体２９は、アルミニウムや亜鉛などの金属材料で作られている。
【００１６】
光ピックアップ筐体２９には、光学ユニット２４を搭載するための凹部が形成されている。光学ユニット２４は、光ピックアップ筐体２９に設けられた凹部に接着される。光ピックアップ筐体２９の凹部の内面２９ａ、２９ｂと光学ユニット２４の端面２４ａ、２４ｂの間に接着剤３ａ、３ｂが挿入される。こうして、光学ユニット２４は、光ピックアップ筐体２９の凹部に接着剤３ａ、３ｂによって固定される。以下に、光ピックアップ筐体２９の凹部の一方の内面２９ａと光学ユニット２４の一方の端面２４ａの間に装填された接着剤３ａを第１の接着剤、光ピックアップ筐体２９の凹部の他方の内面２９ｂと光学ユニット２４の他方の端面２４ｂの間に装填された接着剤３ｂを第２の接着剤と称する。
【００１７】
本例によると、レンズ部材２４１の光軸Ｏは、光学ユニット２４の中心に対してオフセットを有する。図示のように、光学ユニット２４をレンズ部材２４１の光軸Ｏを通る面ｐ−ｐによって２つの部分に分ける。レンズ部材２４１の光軸Ｏを通る面ｐ−ｐから、光学ユニット２４の一方の端２４ａまでの部分を第１の部分２４−１、レンズ部材２４１の光軸Ｏを通る面ｐ−ｐから、光学ユニット２４の他方の端２４ｂまでの部分を第２の部分２４−２とする。第１の部分２４−１の軸線方向の寸法をａ、第２の部分２４−２の軸線方向の寸法をｂとする。第１の部分２４−１の寸法ａは第２の部分２４−２の寸法ｂより小さい。即ち、ａ＜ｂである。
【００１８】
本例によると、第１の接着剤３ａの接着面積Ｓａは、第２の接着剤３ｂの接着面積Ｓｂよりも大きい。即ち、Ｓａ＞Ｓｂである。第１の接着剤３ａの厚さと第２の接着剤３ｂの厚さは同一である。第１の接着剤３ａの体積Ｖａは、第２の接着剤３ｂの体積Ｖｂよりも大きい。即ち、Ｖａ＞Ｖｂである。第１の接着剤３ａと第２の接着剤３ｂは同一の接着剤である。
【００１９】
次に、光ピックアップの環境温度が変化した場合について説明する。環境温度が上昇すると、光学ユニット２４は、熱膨張する。光学ユニット２４の第１の部分２４−１の熱膨張量をΔｘ１、第２の部分２４−２の熱膨張量をΔｘ２とする。光学ユニット２４の全体の熱膨張量はΔｘ１＋Δｘ２である。
【００２０】
光ピックアップ筐体２９も熱膨張する。光ピックアップ筐体２９の凹部の内面２９ａ、２９ｂの間の距離は、熱膨張によって大きくなる。光ピックアップ筐体２９の凹部の内面２９ａ、２９ｂの間の距離ｘ３の熱膨張量をΔｘ３とする。但し、この熱膨張量Δｘ３は、光学ユニット２４の熱膨張量より十分小さいものとする。
【００２１】
光学ユニット２４が熱膨張し、その長手方向の寸法が大きくなると、接着剤３ａ、３ｂは圧縮する。第１の接着剤３ａの圧縮量をΔｔａ、第２の接着剤３ｂの圧縮量をΔｔｂとする。光学ユニット２４の熱膨張量は、接着剤３ａ、３ｂの圧縮量と光ピックアップ筐体２９の凹部の内面２９ａ、２９ｂの間の距離ｘ３の熱膨張量Δｘ３によって吸収される。従って、次の式が成り立つ。
【００２２】
Δｘ１＋Δｘ２＝Δｘ３＋Δｔａ＋Δｔｂ                                式１
【００２３】
第１の部分２４−１の寸法ａは第２の部分２４−２の寸法ｂより小さい。第１の部分２４−１の熱膨張係数は第２の部分２４−２の熱膨張係数に等しいと仮定する。第１の部分２４−１の熱膨張量Δｘ１は、第２の部分２４−２の熱膨張量Δｘ２より小さい。
【００２４】
Δｘａ＜Δｘｂ                                                        式２
【００２５】
図８に示すように、もし、第１の接着剤３ａの接着面積Ｓａ及び厚さｔａと、第２の接着剤３ｂの接着面積Ｓｂ及び厚さｔｂが同一であり、且つ、２つの接着剤３ａ、３ｂが同一の接着剤であるなら、第１の接着剤３ａの圧縮量Δｔａと、第２の接着剤３ｂの圧縮量Δｔｂが等しくなる。この場合、光学ユニット２４が熱膨張すると、レンズ部材２４１の光軸Ｏは、光ピックアップ筐体２９の凹部の内面２９ａに近づく方向に移動する。図示のように、熱膨張前の光軸Ｏと熱膨張後の光軸Ｏ‘の間の移動量をΔｘとする。光学ユニット２４の中心に対するレンズ部材２４１の光軸Ｏのオフセットが大きければ大きいほど、熱膨張に起因したレンズ部材２４１の光軸の移動量Δｘは大きくなる。
【００２６】
しかしながら、本発明によると、光学ユニット２４が熱膨張しても、レンズ部材２４１の光軸Ｏは、光ピックアップ筐体２９に対して移動しない。以下に詳細に説明する。
【００２７】
レンズ部材２４１の光軸Ｏが移動しない条件を考察する。光ピックアップ筐体２９の熱膨張を無視すると、第１の部分２４−１の熱膨張量Δｘ１が第１の接着剤３ａの圧縮量Δｔａに等しく、且つ、第２の部分２４−２の熱膨張量Δｘ２が第２の接着剤３ｂの圧縮量Δｔｂに等しければよい。
【００２８】
Δｘ１＝Δｔａ                                                          式３
Δｘ２＝Δｔｂ                                                          式４
【００２９】
このとき、レンズ部材２４１の光軸Ｏは光ピックアップ筐体２９に対して移動しない。従って、熱膨張量Δｘ１、Δｘ２の比は、圧縮量Δｔａ、Δｔｂの比に等しい。比の値をｋと置くと、次の式が成り立つ。
【００３０】
Δｘ１／Δｘ２＝Δｔａ／Δｔｂ＝ｋ                                      式５
【００３１】
接着剤３ａ、３ｂに加わる圧縮力をＰ、接着剤３ａ、３ｂのヤング率をＥ、接着剤３ａ、３ｂの元の厚さをｔとすると、次の式が成り立つ。
【００３２】
Ｐ／Ｓａ＝Ｅ・Δｔａ／ｔ                                              式６
Ｐ／Ｓｂ＝Ｅ・Δｔｂ／ｔ                                              式７
【００３３】
Ｓａ＞Ｓｂであるから、第１の接着剤３ａの圧縮量Δｔａは、第２の接着剤３ｂの圧縮量Δｔｂより小さい。
【００３４】
Δｔａ＜Δｔｂ                                                        式８
【００３５】
式６及び式７から接着剤の圧縮量Δｔａ、Δｔｂの比と接着面積Ｓａ、Ｓｂの比の関係が得られる。従って、熱膨張量Δｘ１、Δｘ２の比、接着剤の圧縮量Δｔａ、Δｔｂの比、及び、接着面積Ｓａ、Ｓｂの比の関係は、次の式によって表わされる。
【００３６】
Δｘ１／Δｘ２＝Δｔａ／Δｔｂ＝Ｓｂ／Ｓａ＝ｋ                        式９
【００３７】
この式から判るように、２つの部分２４−１、２４−２の熱膨張量Δｘ１、Δｘ２の比ｋが得られれば、接着面積Ｓａ、Ｓｂの比が得られる。
【００３８】
図２を参照して本発明による光ピックアップの第２の例を説明する。本例の光ピックアップでは、第１の接着剤３ａの厚さｔａは、第２の接着剤３ｂの厚さｔｂよりも小さい。即ち、ｔａ＜ｔｂである。第１の接着剤３ａの接着面積と第２の接着剤３ｂの接着面積は同一である。第１の接着剤３ａの体積Ｖａは、第２の接着剤３ｂの体積Ｖｂよりも小さい。即ち、Ｖａ＜Ｖｂである。第１の接着剤３ａと第２の接着剤３ｂは同一の接着剤である。
【００３９】
本例の光ピックアップでは、第１の接着剤３ａの厚さｔａは、第２の接着剤３ｂの厚さｔｂより小さい。従って、第１の接着剤３ａの圧縮量Δｔａは、第２の接着剤３ｂの圧縮量Δｔｂより小さい。光学ユニット２４が熱膨張しても、レンズ部材２４１の光軸Ｏは、光ピックアップ筐体２９に対して移動しない。
【００４０】
レンズ部材２４１の光軸Ｏが移動しない条件を考察する。光ピックアップ筐体２９の熱膨張を無視すると、第１の部分２４−１の熱膨張量Δｘ１が第１の接着剤３ａの圧縮量Δｔａに等しく、且つ、第２の部分２４−２の熱膨張量Δｘ２が第２の接着剤３ｂの圧縮量Δｔｂに等しければよい。このとき、レンズ部材２４１の光軸Ｏは光ピックアップ筐体２９に対して移動しない。従って、式１〜式５が成り立つ。
【００４１】
接着剤３ａ、３ｂに加わる圧縮力をＰ、接着剤３ａ、３ｂの接着面積をＳ、接着剤３ａ、３ｂのヤング率をＥとすると、次の式が成り立つ。
【００４２】
Ｐ／Ｓ＝Ｅ・Δｔａ／ｔａ                                              式１０
Ｐ／Ｓ＝Ｅ・Δｔｂ／ｔｂ                                              式１１
【００４３】
ｔａ＜ｔｂであるから、第１の接着剤３ａの圧縮量Δｔａは、第２の接着剤３ｂの圧縮量Δｔｂより小さい。従って、式８が成り立つ。
【００４４】
式１０及び式１１から接着剤の圧縮量Δｔａ、Δｔｂの比と接着剤の厚さｔａ、ｔｂの比の関係が得られる。従って、熱膨張量Δｘ１、Δｘ２の比は、接着剤の圧縮量Δｔａ、Δｔｂの比、及び、接着剤の厚さｔａ、ｔｂの比は、次の式によって表わされる。
【００４５】
Δｘ１／Δｘ２＝Δｔａ／Δｔｂ＝ｔａ／ｔｂ＝ｋ                        式１２
【００４６】
この式から判るように、２つの部分２４−１、２４−２の熱膨張量Δｘ１、Δｘ２の比ｋが得られれば、接着剤の厚さｔａ、ｔｂの比が得られる。
【００４７】
図３を参照して本発明による光ピックアップの第３の例を説明する。本例の光ピックアップでは、第１の接着剤３ａと第２の接着剤３ｂは異なる接着剤である。第１の接着剤３ａのヤング率Ｅａは、第２の接着剤３ｂのヤング率Ｅｂよりも大きい。即ち、Ｅａ＞Ｅｂである。第１の接着剤３ａの接着面積と第２の接着剤３ｂの接着面積及び厚さは同一である。第１の接着剤３ａの体積Ｖａは、第２の接着剤３ｂの体積Ｖｂに等しい。即ち、Ｖａ＝Ｖｂである。
【００４８】
本例の光ピックアップでは、第１の接着剤３ａのヤング率Ｅａは、第２の接着剤３ｂのヤング率Ｅｂより大きい。従って、第１の接着剤３ａの圧縮量Δｔａは、第２の接着剤３ｂの圧縮量Δｔｂより小さい。光学ユニット２４が熱膨張しても、レンズ部材２４１の光軸Ｏは、光ピックアップ筐体２９に対して移動しない。
【００４９】
レンズ部材２４１の光軸Ｏが移動しない条件を考察する。光ピックアップ筐体２９の熱膨張を無視すると、第１の部分２４−１の熱膨張量Δｘ１が第１の接着剤３ａの圧縮量Δｔａに等しく、且つ、第２の部分２４−２の熱膨張量Δｘ２が第２の接着剤３ｂの圧縮量Δｔｂに等しければよい。このとき、レンズ部材２４１の光軸Ｏは光ピックアップ筐体２９に対して移動しない。従って、式１〜式５が成り立つ。
【００５０】
接着剤３ａ、３ｂに加わる圧縮力をＰ、接着剤３ａ、３ｂの接着面積をＳ、接着剤３ａ、３ｂの厚さをｔとすると、次の式が成り立つ。
【００５１】
Ｐ／Ｓ＝Ｅａ・Δｔａ／ｔ                                              式１３
Ｐ／Ｓ＝Ｅｂ・Δｔｂ／ｔ                                              式１４
【００５２】
Ｅａ＞Ｅｂであるから、第１の接着剤３ａの圧縮量Δｔａは、第２の接着剤３ｂの圧縮量Δｔｂより小さい。従って、式８が成り立つ。
【００５３】
式１３及び式１４から接着剤のヤング率Ｅａ、Ｅｂの比と接着剤の圧縮量Δｔａ、Δｔｂの比の関係が得られる。従って、熱膨張量Δｘ１、Δｘ２の比は、接着剤の圧縮量Δｔａ、Δｔｂの比、及び、接着剤のヤング率Ｅａ、Ｅｂの比は、次の式によって表わされる。
【００５４】
Δｘ１／Δｘ２＝Δｔａ／Δｔｂ＝Ｅｂ／Ｅａ＝ｋ                        式１５
【００５５】
この式から判るように、２つの部分２４−１、２４−２の熱膨張量Δｘ１、Δｘ２の比ｋが得られれば、接着剤のヤング率Ｅａ、Ｅｂの比が得られる。
【００５６】
図１〜図３の例では、第１の部分２４−１の寸法ａは第２の部分２４−２の寸法ｂより小さい。しかしながら、第１の部分２４−１の寸法ａは第２の部分２４−２の寸法ｂより大きくてもよい。この場合には、上述の説明における大小関係が逆になるが、同様な議論が可能である。
【００５７】
図４を参照して本発明による光ピックアップの第４の例を説明する。本例の光ピックアプでは、光学ユニット２４の端２４ｂに小さな凹部２４６が設けられている。接着剤３ｂによって凹部２４６は覆われている。それ以外の構成は図９に示す光ピックアップの構成と同様である。従って、第１の接着剤３ａの接着面積及び厚さと、第２の接着剤３ｂの接着面積及び厚さが同一であり、且つ、２つの接着剤３ａ、３ｂが同一の接着剤である。
【００５８】
本例によると、光学ユニット２４の端２４ｂと第２の接着剤３ｂの間の実質的な接着面積は、光学ユニット２４の端２４ａと第１の接着剤３ａの間の接着面積と比較すると、端２４ｂの凹部２４６の面積だけ小さい。従って、第２の接着剤３ｂに対して圧縮力が印加する面積は、第１の接着剤３ａに対して圧縮力が印加する面積よりも小さい。従って、第１の接着剤３ａの圧縮量Δｔａは、第２の接着剤３ｂの圧縮量Δｔｂより小さい。光学ユニット２４が熱膨張しても、レンズ部材２４１の光軸Ｏは、光ピックアップ筐体２９に対して移動しない。
【００５９】
レンズ部材２４１の光軸Ｏが移動しない条件を考察する。光ピックアップ筐体２９の熱膨張を無視すると、第１の部分２４−１の熱膨張量Δｘ１が第１の接着剤３ａの圧縮量Δｔａに等しく、且つ、第２の部分２４−２の熱膨張量Δｘ２が第２の接着剤３ｂの圧縮量Δｔｂに等しければよい。このとき、レンズ部材２４１の光軸Ｏは光ピックアップ筐体２９に対して移動しない。従って、式１〜式５が成り立つ。
【００６０】
第１の接着剤３ａの圧縮量Δｔａは、第２の接着剤３ｂの圧縮量Δｔｂより小さいから、式８が成り立つ。本例では、式５が成り立つように、凹部２４６に充填される接着剤の量を調整すればよい。
【００６１】
本例では、第１の部分２４−１の寸法ａは第２の部分２４−２の寸法ｂより小さい。しかしながら、第１の部分２４−１の寸法ａは第２の部分２４−２の寸法ｂより大きくてもよい。この場合には、小さな凹部は、光学ユニット２４の反対側の端２４ａに設けられる。
【００６２】
図５を参照して本発明による光ピックアップの第５の例を説明する。本例の光ピックアプでは、光ピックアップ筐体２９の凹部の内面２９ｂに小さな凹部２９１が設けられている。接着剤３ｂによって凹部２９１は覆われている。それ以外の構成は図４に示す光ピックアップの構成と同様であってよい。従って、第１の接着剤３ａの接着面積及び厚さと、第２の接着剤３ｂの接着面積及び厚さが同一であり、且つ、２つの接着剤３ａ、３ｂが同一の接着剤である。
【００６３】
本例によると、光ピックアップ筐体２９の凹部の内面２９ｂと第２の接着剤３ｂの間の実質的な接着面積は、光ピックアップ筐体２９の凹部の内面２９ａと第１の接着剤３ａの間の接着面積と比較すると、光ピックアップ筐体２９の内面２９ｂの凹部２９１の面積だけ小さい。従って、第２の接着剤３ｂに対して圧縮力が印加する面積は、第１の接着剤３ａに対して圧縮力が印加する面積よりも小さい。従って、第１の接着剤３ａの圧縮量Δｔａは、第２の接着剤３ｂの圧縮量Δｔｂより小さい。光学ユニット２４が熱膨張しても、レンズ部材２４１の光軸Ｏは、光ピックアップ筐体２９に対して移動しない。
【００６４】
レンズ部材２４１の光軸Ｏが移動しない条件を考察する。光ピックアップ筐体２９の熱膨張を無視すると、第１の部分２４−１の熱膨張量Δｘ１が第１の接着剤３ａの圧縮量Δｔａに等しく、且つ、第２の部分２４−２の熱膨張量Δｘ２が第２の接着剤３ｂの圧縮量Δｔｂに等しければよい。このとき、レンズ部材２４１の光軸Ｏは光ピックアップ筐体２９に対して移動しない。従って、式１〜式５が成り立つ。
【００６５】
第１の接着剤３ａの圧縮量Δｔａは、第２の接着剤３ｂの圧縮量Δｔｂより小さいから、式８が成り立つ。本例では、式５が成り立つように、凹部２４３に充填される接着剤の量を調整すればよい。
【００６６】
本例では、第１の部分２４−１の寸法ａは第２の部分２４−２の寸法ｂより小さい。しかしながら、第１の部分２４−１の寸法ａは第２の部分２４−２の寸法ｂより大きくてもよい。この場合には、小さな凹部は、光ピックアップ筐体２９の凹部の反対側の内面２９ａに設けられる。
【００６７】
図６を参照して本発明による光ピックアップの第６の例を説明する。ここでは、光ピックアップの主要部である光学ユニット２４とそれを保持する光ピックアップ筐体２９について説明する。図６ａは本例の光ピックアプの主要部の正面構成を示し、図６ｂは本例の光ピックアップの主要部の平面構成の断面を示す。本例によると、光学ユニット２４は、第１及び第２のレンズ部材２４１ａ、２４１ｂ、第１のレンズ部材を保持する第１の保持部材２４２、第２のレンズ部材２４１ｂを保持する第２の保持部材２４３、第２の保持部材２４３を移動させる駆動手段２４４、第２の保持部材２４３の孔を貫通するガイドシャフト２４５ａ、２４５ｂを有する。駆動手段２４４の軸と第２の保持部材２４３の間には歯車等の伝動手段が設けられている。
【００６８】
駆動手段２４４を駆動させると、伝動手段を介して、駆動手段２４４の駆動力が第２の保持部材２４３に伝達される。それによって、第２の保持部材２４３は、ガイドシャフト２４５ａ、２４５ｂに沿って移動する。第２の保持部材２４３が移動すると、第１のレンズ部材２４１ａと第２のレンズ部材２４１ｂの間の距離が変化する。こうして、２つのレンズ部材２４１ａ、２４１ｂによって構成される光学系の焦点が変化する。
【００６９】
光ピックアップ筐体２９には、光学ユニット２４を搭載するための凹部が形成されている。光学ユニット２４は、光ピックアップ筐体２９に設けられた凹部に接着される。光ピックアップ筐体２９の凹部の内面２９ａ、２９ｂと光学ユニット２４の端面２４ａ、２４ｂの間に接着剤３ａ、３ｂが挿入される。こうして、光学ユニット２４は、光ピックアップ筐体２９の凹部に接着剤３ａ、３ｂによって固定される。
【００７０】
レンズ部材２４１の光軸Ｏを通る面ｐ−ｐから、光学ユニット２４の一方の端２４ａまでの部分を第１の部分２４−１、レンズ部材２４１の光軸Ｏを通る面ｐ−ｐから、光学ユニット２４の他方の端２４ｂまでの部分を第２の部分２４−２とする。第１の部分２４−１の軸線方向の寸法をａ、第２の部分２４−２の軸線方向の寸法をｂとする。第１の部分２４−１の寸法ａは第２の部分２４−２の寸法ｂより小さい。即ち、ａ＜ｂである。
【００７１】
図示のように、光学ユニット２４を構成する空間のうち、保持部材２４２、２４３を移動させるための移動機構が占める空間の割合が比較的大きい。例えば、保持部材２４２、２４３は、光ピックアップ２に搭載される他の光学素子の１０倍以上の長さを有する大型部品である。従って、レンズ部材２４１ａ、２４１ｂの光軸は、光学ユニット２４の中心に対してオフセットを有する。このため、従来の光ピックアップでは、環境温度の変化によって保持部材２４２、２４３が熱変形すると、レンズ部材２４１ａ、２４１ｂの光軸の位置が変化する。
【００７２】
しかしながら、本例では、光ピックアップ筐体２９の熱膨張を無視すると、第１の部分２４−１の熱膨張量Δｘ１が第１の接着剤３ａの圧縮量Δｔａに等しく、且つ、第２の部分２４−２の熱膨張量Δｘ２が第２の接着剤３ｂの圧縮量Δｔｂに等しい。従って、レンズ部材２４１の光軸Ｏは光ピックアップ筐体２９に対して移動しない。
【００７３】
図５及び図６の例では、第１の部分２４−１の寸法ａは第２の部分２４−２の寸法ｂより小さい。しかしながら、第１の部分２４−１の寸法ａは第２の部分２４−２の寸法ｂより大きくてもよい。この場合には、上述の説明における大小関係が逆になるが、同様な議論が可能である。
【００７４】
図７は、本発明による光ピックアップの構成を示す。光ピックアップ２は、レーザ光源２１、ハーフミラー２２、光検出器２３、光学ユニット２４、立上ミラー２５、及び、対物レンズ２６を有する。光学ユニット２４は、光ピックアップ筐体２９に設けられた凹部に接着される。
【００７５】
レーザ光源２１からのレーザ光は、ハーフミラー２２、光学ユニット２４、立上ミラー２５、及び、対物レンズ２６を経由して、光ディスク１の記録面に照射される。光ディスク１の記録面からの光は、対物レンズ２６、立上ミラー２５、光学ユニット２４、及び、ハーフミラー２２を経由して光検出器２３によって検出される。
【００７６】
光学ユニット２４は、光ピックアップ筐体２９に設けられた凹部に接着剤によって接着される。光学ユニット２４と光ピックアップ筐体２９の間の接着方法は、図１から図６に示したとおりである。従って、環境温度の変化によって光学ユニット２４が熱変形しても、光学ユニット２４に含まれるレンズ部材の光軸の位置は変化しない。これにより、光ディスクの記録面上に品質の良いビームスポットを形成することができる。そのため、高密度記録に対応した光ピックアップを提供することができる。また、レンズ移動機構を必要とする高密度光ディスク装置を実現することができる。
【００７７】
以上本発明の例を説明したが本発明は上述の例に限定されるものではなく、特許請求の範囲に記載された発明の範囲にて様々な変更が可能であることは、当業者であれば容易に理解されよう。
【図面の簡単な説明】
【００７８】
【図１】本発明の光ピックアップの第１の例の主要部の構成を示す図である。
【図２】本発明の光ピックアップの第２の例の主要部の構成を示す図である。
【図３】本発明の光ピックアップの第３の例の主要部の構成を示す図である。
【図４】本発明の光ピックアップの第４の例の主要部の構成を示す図である。
【図５】本発明の光ピックアップの第５の例の主要部の構成を示す図である。
【図６】本発明の光ピックアップの第６の例の主要部の構成を示す図である。
【図７】本発明の光ピックアップの構成を示す図である。
【図８】従来の光ピックアップの主要部の構成を示す図である。
【符号の説明】
【００７９】
１…光ディスク、２…光ピックアップ、３ａ、３ｂ…接着剤、２１…レーザ光源、２２…ハーフミラー、２３…光検出器、２４…光学ユニット、２５…立上ミラー、２６…対物レンズ、２９…光ピックアップ筐体、２４１、２４１ａ、２４１ｂ…レンズ部材、２４２、２４３…保持部材、２４４…駆動手段、２４５ａ、２４５ｂ…ガイドシャフト、２４６…凹部、２９１…凹部
【図１】
2008041149.tif 000003
【図２】
2008041149.tif 000004
【図３】
2008041149.tif 000005
【図４】
2008041149.tif 000006
【図５】
2008041149.tif 000007
【図６】
2008041149.tif 000008
【図７】
2008041149.tif 000009
【図８】
2008041149.tif 000010